(57)【要約】【課題】汚物を含む洗浄水を効率的に攪拌して汚物の排出効率を高めることができる水洗大便器を提供する。【解決手段】本発明の水洗大便器１は、汚物受け面２０を備えたボウル部１２と、このボウル部の上縁に形成され内部にリム通水路２６が形成されたリム部１８と、洗浄水を前方に吐水し、汚物受け面上を旋回する旋回流を形成する１つのリム吐水口２８と、汚物を排出する排水トラップ管路１４と、を有し、ボウル部の汚物受け面は、上方汚物受け面２０と、この上方汚物受け面と排水トラップ管路との間に形成された凹部２２と、を備え、上方汚物受け面は、その両側方領域Ｃ，Ｄが横方向に沿って凸面により形成され、その前方領域Ａと後方領域Ｂが前後方向に沿って両側方領域より小さな曲率の凸面又は凹面により形成されている。【選択図】図２
2018119400.tif 000002
【特許請求の範囲】
【請求項１】
洗浄水供給源から供給される洗浄水により便器本体を洗浄して汚物を排出する水洗大便器であって、
汚物受け面を備えたボウル部と、
このボウル部の上縁に形成され内部にリム通水路が形成されたリム部と、
上記洗浄水供給源から供給された洗浄水を前方に吐水し、汚物受け面上を旋回する旋回流を形成する１つのリム吐水部と、
上記ボウル部の下方にその入口が接続され汚物を排出する排水トラップ管路と、を有し、
上記ボウル部の汚物受け面は、上方汚物受け面と、この上方汚物受け面と上記排水トラップ管路との間に形成された凹部と、を備え、
上記上方汚物受け面は、その両側方領域が横方向に沿って凸面により形成され、その前方領域と後方領域が前後方向に沿って上記両側方領域より小さな曲率の凸面、又は凹面により形成されたことを特徴とする水洗大便器。
【請求項２】
上記ボウル部の上方汚物受け面の前方領域が凹面により形成され、後方領域が両側方領域よりも小さな曲率の凸面により形成されている請求項１に記載の水洗大便器。
【請求項３】
上記ボウル部の上方汚物受け面の両側方領域のうち、洗浄水の旋回方向の上流側の側方領域が下流側の側方領域よりも大きな凸面により形成されている請求項２に記載の水洗大便器。
【請求項４】
上記リム吐水部は、上記リム部の前方側に設けられている請求項１乃至３の何れか１項に記載の水洗大便器。
【請求項５】
更に、上記リム吐水部から吐水された洗浄水がその上を流れる棚部を有し、この棚部が上記リム吐水部から上記凹部の前後方向の中心より後方で且つ上記上方汚物受け面の後端より前方の領域まで形成され、さらに、上記棚部の後端から上記上方汚物受け面の後端までの領域は棚部が形成されていない請求項４に記載の水洗大便器。
【発明の詳細な説明】
【技術分野】
【０００１】
本発明は、水洗大便器に係り、特に、洗浄水供給源から供給される洗浄水により便器本体を洗浄して汚物を排出する洗い落とし式等の水洗大便器に関する。
【背景技術】
【０００２】
従来から、例えば、特許文献１に記載されているように、ボウル部の汚物受け面を洗浄するためにリムに設けられたリム吐水口に加え、凹部の溜水部の洗浄水を攪拌するためにジェット吐水口を備えた水洗大便器が知られている。さらに、特許文献１の水洗大便器においては、リム吐水口として、ボウル部の側方に設けられた第１リム吐水口とボウル部の後方に設けられた第２リム吐水口の２つのリム吐水口を備えている。
【先行技術文献】
【特許文献】
【０００３】
【特許文献１】特開２０１１−０５８３００号公報
【発明の概要】
【発明が解決しようとする課題】
【０００４】
しかしながら、上述した特許文献１に記載されているような水洗大便器においては、ジェット吐水口が設けられているので、製造工程が複雑となり、また、ジェット吐水口を設けている分だけ清掃性が悪化するという問題がある。また、２つのリム吐水口が設けられているので、凹部の溜水部に溜まった汚物を含む洗浄水を効果的に攪拌させることができるが、リム吐水口が１つの場合に比べて、清掃性が悪化するという問題もある。
【０００５】
一方、リム吐水口のみを設け、さらに、１つのリム吐水口にすることにより、製造工程が簡易となり、さらに、清掃性も向上するが、ボウル部において汚物を含む洗浄水の攪拌作用が低下するという洗浄性能に関係する基本的な問題が生じる。
【０００６】
本発明は、上述した従来技術の問題点を解決するためになされたものであり、１つのリム吐水部を設けた場合であっても、汚物を含む洗浄水を効率的に攪拌して汚物の排出効率を高めることができる水洗大便器を提供することを目的としている。
【課題を解決するための手段】
【０００７】
上記の目的を達成するために、本発明は、洗浄水供給源から供給される洗浄水により便器本体を洗浄して汚物を排出する水洗大便器であって、汚物受け面を備えたボウル部と、このボウル部の上縁に形成され内部にリム通水路が形成されたリム部と、洗浄水供給源から供給された洗浄水を前方に吐水し、汚物受け面上を旋回する旋回流を形成する１つのリム吐水部と、ボウル部の下方にその入口が接続され汚物を排出する排水トラップ管路と、を有し、ボウル部の汚物受け面は、上方汚物受け面と、この上方汚物受け面と排水トラップ管路との間に形成された凹部と、を備え、上方汚物受け面は、その両側方領域が横方向に沿って凸面により形成され、その前方領域と後方領域が前後方向に沿って両側方領域より小さな曲率の凸面、又は凹面により形成されたことを特徴としている。
このような構成した水洗大便器においては、ボウル部の汚物受け面の上方汚物受け面はその両側方領域が横方向に沿って凸面により形成され、その前方領域と後方領域が前後方向に沿って両側方領域より小さな曲率の凸面又は凹面により形成されているので、１つのリム吐水部から洗浄水を吐水する場合であっても、ボウル部の凹部の前方から及び後方からそれぞれ凹部に流入する主流を形成することができる。具体的には、凹部の前方から流入する洗浄水の主流が、排水トラップ管路内への押し込み流を発生させ、凹部の後方から流入する洗浄水の主流が、横方向（水平方向）の旋回流を発生させる。その結果、本発明によれば、１つのリム吐水部から吐水された洗浄水によりボウル部の凹部内で汚物を含む洗浄水を効率的に攪拌でき、汚物の排出効率を高めることができる。
【０００８】
本発明において、好ましくは、ボウル部の上方汚物受け面の前方領域が凹面により形成され、後方領域が両側方領域よりも小さな曲率の凸面により形成されている。
このように構成された本発明によれば、上記ボウル部の上方汚物受け面の前方領域が凹面により形成され、後方領域が両側方領域よりも小さな曲率の凸面により形成されているので、凹部の前方から流入する洗浄水の主流をより大きく形成することができ、排水トラップ管路内への押し込み力を大きくすることができ、これにより、汚物の排出効率をより高めることができる。
【０００９】
本発明において、好ましくは、ボウル部の上方汚物受け面の両側方領域のうち、洗浄水の旋回方向の上流側の側方領域が下流側の側方領域よりも大きな凸面により形成されている。
このように構成された本発明によれば、上記ボウル部の上方汚物受け面の両側方領域のうち、洗浄水の旋回方向の上流側の側方領域が下流側の側方領域よりも大きな凸面により形成されているので、凹部の前方から流入する洗浄水の主流をより大きく形成することができるので、排水トラップ管路内への押し込み力を大きくすることができ、これにより、汚物の排出効率をより高めることができる。
【００１０】
本発明において、好ましくは、リム吐水部は、リム部の前方側に設けられている。
このように構成された本発明によれば、リム吐水部から吐水された洗浄水がほぼ１周旋回した後、前方から凹部に流れ込む主流を形成するので、より多くの洗浄水により上方汚物受け面の全域を洗浄することができ、洗浄性能が向上する。つまり、リム吐水部から吐水された洗浄水が旋回しすぎて主流の勢いが弱くなったり、あまり旋回しないうちに主流となって凹部に流れこむことで旋回する洗浄水の流量が少なくなって上方汚物受け面の洗浄性能が低下してしまうといった問題を解消することができる。
【００１１】
本発明は、好ましくは、更に、リム吐水部から吐水された洗浄水がその上を流れる棚部を有し、この棚部がリム吐水部から凹部の前後方向の中心より後方で且つ上方汚物受け面の後端より前方の領域まで形成され、さらに、棚部の後端から上方汚物受け面の後端までの領域は棚部が形成されていない。
このように構成された本発明においては、棚部がリム吐水部から凹部の前後方向の中心より後方で且つ上方汚物受け面の後端より前方の領域まで形成され、さらに、棚部の後端から上方汚物受け面の後端までの領域は棚部が形成されていないので、凹部の後方から流入する洗浄水の主流を大きく形成することができるので、凹部の横方向（水平方向）の旋回を強くすることができ、それにより、凹部内の汚物の排出効率を高めることができる。
【発明の効果】
【００１２】
本発明の水洗大便器によれば、１つのリム吐水部を設けた場合であっても、汚物を含む洗浄水を効率的に攪拌して汚物の排出効率を高めることができる。
【図面の簡単な説明】
【００１３】
【図１】本発明の実施形態による水洗大便器の壁面に設置されている状態を示す概略図である。
【図２】本発明の実施形態による水洗大便器を示す平面図である。
【図３】図２のIII−III線に沿って見た水洗大便器の側面断面図である。
【図４】図２の水洗大便器を後方の斜め上方から見た斜視図である。
【図５】図２の水洗大便器を側方の上方から視た斜視図である。
【図６】図２のVI−VI線に沿って見た水洗大便器の正面断面図である。
【図７】図２のVII−VII線に沿って見た水洗大便器の正面断面図である。
【図８】図２のVIII−VIII線に沿って見た水洗大便器の正面断面図である。
【図９】図２のIX−IX線に沿って見た水洗大便器の正面断面図である。
【図１０】本発明の実施形態による水洗大便器における洗浄水の流れの様子を示す側方から視た斜視図である。
【図１１】本発明の実施形態による水洗大便器における洗浄水の流れの様子を示す上方から視た斜視図である。
【発明を実施するための形態】
【００１４】
次に、添付図面により、本発明の実施形態による水洗大便器を説明する。先ず、図１により、本実施形態による水洗大便器の設置状態を説明する。図１は、本発明の実施形態による水洗大便器の壁面に設置されている状態を示す概略図である。図１に示すように、符号１は、本実施形態による水洗大便器１を示し、この水洗大便器１は、後述する排水トラップ管路内の水位上昇による落差を利用して汚物を排出する洗い落とし式水洗大便器（ウオッシュダウン式便器）である。なお、本実施形態においては、水洗大便器は他のタイプの便器であってもよい。
【００１５】
水洗大便器１は、便器本体２を備え、この便器本体２は、壁４に取り付けられている。壁４の裏側には、洗浄水を貯水する貯水タンク６が取り付けられ、また、壁４の表面には、操作スイッチ８が取り付けられている。この操作スイッチ８をＯＮ操作すると、貯水タンク６内の洗浄水が便器本体２に供給され、便器本体２が洗浄されるようになっている。また、壁４の裏側には、汚物を排出するための排水管１０が設けられ、この排水管１０により、便器本体２からの汚物を外部へ排出するようになっている。
【００１６】
次に、図２乃至図９により、本実施形態による水洗大便器１を詳細に説明する。図２は本発明の実施形態による水洗大便器を示す平面図であり、図３は図２のIII−III線に沿って見た水洗大便器の側面断面図であり、図４は図２の水洗大便器を後方の斜め上方から見た斜視図であり、図５は図２の水洗大便器を側方の上方から視た斜視図である。図６〜図９は、それぞれ、図２のVI−VI線、VII−VII線、VIII−VIII線、及び、IX−IX線に沿って見た水洗大便器の正面断面図である。
【００１７】
図２及び図３に示すように、本発明の実施形態による水洗大便器１の便器本体２は、ボウル部１２と、このボウル部１２の底部から連通して延びる排水トラップ管路１４を有する。ボウル部１２は、汚物受け面１６と、この汚物受け面１６の上縁に形成されたリム部１８を備えている。さらに、ボウル部１２の汚物受け面１６は、ボウル形状の上方汚物受け面２０と、この上方汚物受け面２０と排水トラップ管路１４との間に形成された凹部２２を備えている。
【００１８】
排水トラップ管路１４は、ボウル部１２の底部に開口した入口１４ａから斜め上方に延び、最高点１４ｂを通った後、斜め下方に延びて、出口１４ｃに達し、上述した排水管１０（図１参照）に接続されている。水洗大便器１の溜水水位Ｌは、排水トラップ管路１４の最高点１４ｂの高さと等しくなる。
【００１９】
また、便器本体２の後部には、通水室２４が形成され、この通水室２４には、上述した貯水タンク６から洗浄水が供給されるようになっている。この通水室２４は、その前方側がリム部１８まで延び、リム部１８の内部に形成されたリム通水路２６に接続されている。便器本体１を前方から見て、リム部１８の左側の前方領域の内周側には、リム吐水口２８が形成され、上述したリム通水路２６がリム吐水口２８まで延び、洗浄水がリム吐水口２８まで供給されるようになっている。このリム吐水口２８から前方に向けて洗浄水が吐水され、ボウル部１２内において旋回流を形成するようになっている。
【００２０】
次に、図２乃至図５により、水洗大便器１の棚部について説明する。図２乃至図５に示すように、リム部１８の内周側で且つリム吐水口２８の下流側には、洗浄水がその上を流れるための第１の棚部３０が形成されている。この第１の棚部３０は、リム吐水口２８と同じレベルに形成されており、リム吐水口２８の位置（前方から見てボウル部１２の左側前方領域）からボウル部１２の右側の前方領域まで延びている。
【００２１】
また、リム部１８と上方汚物受け面２０の間には、第２の棚部３２が形成されている。この第２の棚部３２は、第１の棚部３０の内側に位置し、段差を介して、第１の棚部３０より低い位置に設けられている。第２の棚部３２は、図２に示されているように、ボウル部１２の前から見て左側の後方領域から前端を経由して右側の後方領域まで延びている。具体的には、第２棚部３２は、その左側及び右側の後端３２ａ，３２ｂが、上述した凹部２２の前後方向の中心２２ａより後方で上方汚物受け面２０の後端２０ａより前方の領域まで延びている。また、第２の棚部３２は、その長さ方向に沿って、同じ高さ位置（レベル）に形成されている。なお、第２の棚部３２の後端３２ａ，３２ｂと上方汚物受け面２０の後端２０ａとの間の領域には、棚部は形成されておらず、湾曲形状となっている。
ここで、第２の棚部３２は、左右対称に形成されているが、左右非対称に形成されていてもよく、リム吐水口２８近傍から洗浄水の旋回方向の上流側であるボウル部の右側の後方領域まで延びて形成されてもよい。なお、洗浄水の旋回方向の上流側とは、旋回する洗浄水が上方汚物受け面において実質的に先に流れる部分を指す。したがって、本実施形態では、リム吐水口はボウル部前方から見て左側に位置するため、ごく少量の洗浄水は左側の上方汚物受け面に先に流れるが、ほとんどの洗浄水は左側より右側の上方汚物受け面に先に流れるため、ボウル部の左右を比較すると、洗浄水の旋回方向の上流側は右側になる。
【００２２】
次に、図２乃至図９により、ボウル部１２の汚物受け面１６の上方汚物受け面２０の表面形状について詳細に説明する。図２に示すように、ボウル部１２の上方汚物受け面２０は、平面視で、前方領域Ａ、後方領域Ｂ、右側方領域Ｃ、及び左側方領域Ｄを有する。
上方汚物受け面２０の右側方領域Ｃ及び左側方領域Ｄは、横方向（便器本体１の前後方向に直交する方向）に沿って同じ曲率の凸面により形成され（図８及び図９参照）、前方領域Ａは前後方向に沿って凹面により形成され（図３参照）、後方領域Ｂは、右側方領域Ｃ及び左側方領域Ｄの凸面よりも小さな曲率の凸面により形成されている（図２参照）。
【００２３】
ここで、前方領域Ａは、後方領域Ｂと同様に、前後方向に沿って右側方領域Ｃ及び左側方領域Ｄの凸面よりも小さな曲率の凸面により形成されてもよい。また、後方領域Ｂは、前方領域Ａと同様に、前後方向に沿って凹面により形成されてもよい。
さらに、洗浄水の旋回方向の上流側である右側方領域Ｃが下流側の左側方領域Ｄよりも横方向に沿って大きな曲率の凸面により形成されてもよい。
【００２４】
ボウル部１２の汚物受け面１６の上方汚物受け面２０の表面形状を上述したように形成することにより、詳細は後述するが、リム吐水口２８から吐水された洗浄水の一部がボウル部１２を１周して前方から凹部２２に流入する主流Ｆ１を形成し、さらに、リム吐水口２８から吐水された洗浄水の一部が後方から凹部２２に流入する主流Ｆ２を形成する（図１０、図１１参照）。
【００２５】
次に、図２、図３、図８により、ボウル部１２の汚物受け面１６の凹部２２について詳細に説明する。
凹部２２は、平面視でほぼ三角形状であり、前方に向けて先が細くなる先細り形状となっている。凹部２２は、壁面３４と底面３６により形成され、さらに、底面３６は、前方に位置する前方底面３６ａと後方に位置する後方底面３６ｂとを備えている。前方底面３６ａは、後方底面３６ｂに比べて浅くなるように形成されている（図３参照）。また、後方底面３６ｂは、上述した排水トラップ管路１４の入口１４ａと接続されている。
【００２６】
ここで、図８に示すように、凹部２２の前方底面３６ａは、横方向に沿って、Ｒ形状に形成されている。具体的には、後述する縦旋回流Ｖを効果的に形成するために、前方底面３６ａは、その曲率半径Ｒが３０ｍｍから８０ｍｍの範囲内に形成されるのが好ましい。
【００２７】
また、凹部２２の先細り形状の角度θは、縦旋回流Ｖを効果的に形成するために、３５度〜７０度であるのが好ましく、より好ましくは３５度〜６０度であり、最も好ましくは４０度〜５０である。
さらに、図２に示すように、凹部２２の三角形状の後方側は、平面視で円弧形状となっており、後述する横旋回流Ｈが効果的に形成できるようになっている。
【００２８】
次に、主に図１０及び図１１を参照して、上述した本発明の実施形態による水洗大便器の動作を説明する。図１０は本発明の実施形態による水洗大便器における洗浄水の流れの様子を示す側方から視た斜視図であり、図１１は本発明の実施形態による水洗大便器における洗浄水の流れの様子を示す上方から視た斜視図である。
【００２９】
使用者が操作スイッチ８をＯＮ操作すると、貯水タンク６内の洗浄水が、便器本体２の通水室２４に入り、この通水室２４から、リム通水路２６を経て、リム吐水口２８から、ボウル部１２へ吐水される。
【００３０】
リム吐水口２８から吐水された洗浄水は、先ず、第１の棚部３０上を流れ、次に、第２の棚部３２に流下し、第２の棚部３２上を流れて、ボウル部１２内で旋回流を形成する。このとき、ボウル部１２内を１周した洗浄水の一部は、リム吐水口２８から吐水された洗浄水の内周側を流れ、斜め前方から、凹部２２内に流入する主流Ｆ１となる。
【００３１】
また、リム吐水口２８から吐水された洗浄水は、第２の棚部３２上を流れるが、上方汚物受け面２０の後端領域では、棚部が形成されず、曲面形状となっているので、洗浄水の一部が、斜め後方から、凹部２２内に流入する主流Ｆ２となる。
【００３２】
次に、斜め前方から凹部２２内に流入する主流Ｆ１は、凹部２２の側壁に沿って流下し、前方底面３６ａに沿って流れることにより上方に向きを変え、側壁に沿って上昇し、縦旋回流Ｖを形成する。また、主流Ｆ１は、排水トラップ管路１４内への押し込み流を発生させる。
一方、斜め後方から凹部２２内に流入する主流Ｆ２は、凹部２２の側壁に沿ってほぼ水平方向に流れ、横旋回流Ｈを形成する。
【００３３】
このように、本実施形態による水洗大便器１においては、従来の水洗大便器のようにジェット吐水口を設けなくても、凹部２２内において形成された縦旋回流Ｖ及び横旋回流Ｈにより汚物を含む洗浄水を効果的に攪拌でき、汚物の排出効率を高めることができる。
【００３４】
以下、本実施形態による水洗大便器１による作用を具体的に説明する。先ず、本実施形態による水洗大便器１においては、ボウル部１２の汚物受け面１６の上方汚物受け面２０は、その右側方領域Ｃ及び左側方領域Ｄが横方向に沿って凸面により形成され、その前方領域Ａと後方領域Ｂが前後方向に沿って両側方領域より小さな曲率の凸面又は凹面により形成されているので、ジェット吐水口を設けなくても、さらに、１つのリム吐水口２８から洗浄水を吐水する場合であっても、ボウル部１２の凹部２２の前方から及び後方からそれぞれ凹部２２に流入する主流Ｆ１，Ｆ２を形成することができる。具体的には、凹部２２の前方から流入する洗浄水の主流Ｆ１が、排水トラップ管路１４内への押し込み流を発生させ、凹部２２の後方から流入する洗浄水の主流Ｆ２が、横方向（水平方向）の旋回流Ｈを発生させる。その結果、本実施形態による水洗大便器１によれば、リム吐水口２８から吐水された洗浄水によりボウル部１２の凹部２２内で汚物を含む洗浄水を効率的に攪拌でき、汚物の排出効率を高めることができる。
【００３５】
次に、本実施形態による水洗大便器１において、ボウル部１２の上方汚物受け面２０の前方領域Ａが凹面により形成され、後方領域Ｂが右側方領域Ｃ及び左側方領域Ｄよりも小さな曲率の凸面により形成されている場合には、凹部２２の前方から流入する洗浄水の主流Ｆ１をより大きく形成することができるので、排水トラップ管路１４内への押し込み力を大きくすることができ、これにより、汚物の排出効率をより高めることができる。
【００３６】
次に、本実施形態による水洗大便器１において、ボウル部１２の上方汚物受け面２０の洗浄水の旋回方向の上流側の右側方領域Ｃが下流側の左側方領域Ｄよりも大きな曲率の凸面により形成されている場合には、凹部２２の前方から流入する洗浄水の主流Ｆ１をより大きく形成することができるので、排水トラップ管路１４内への押し込み力を大きくすることができ、これにより、汚物の排出効率をより高めることができる。
【００３７】
次に、本実施形態による水洗大便器１において、リム吐水口２８は、リム部１８の前方側に設けられているので、リム吐水項２８から吐水された洗浄水がほぼ１周旋回した後、前方から凹部２２に流れ込む主流Ｆ１を形成するので、より多くの洗浄水により上方汚物受け面２０の全域を洗浄することができ、洗浄性能が向上する。
【００３８】
次に、本実施形態による水洗大便器１において、第２の棚部３２がリム吐水口２８から凹部２２の前後方向の中心２２ａより後方で且つ上方汚物受け面２０の後端２０ａより前方の領域まで形成され、さらに、第２の棚部３２の後端から上方汚物受け面２０の後端までの領域は棚部が形成されていないので、後方から凹部２２に流入する洗浄水の量を多くすることができ、凹部２２内で汚物を含む洗浄水をより効果的に旋回させることができる。その結果、本実施形態による水洗大便器１によれば、１つのリム吐水口２８から吐水された洗浄水によりボウル部１２の凹部２２内で汚物を含む洗浄水を効率的に攪拌でき、汚物の排出効率を高めることができる。
【００３９】
次に、本実施形態による水洗大便器１において、リム吐水口２８の直下流の領域に設けられた第１の棚部３０と、この第１の棚部３０よりも内側で且つ第１の棚部３０よりも低い位置に設けられた第２の棚部３２とが設けられているので、リム吐水口２８から吐水された洗浄水は、先ず、第１の棚部３０上を流れ、次に、洗浄水は第２の棚部３２上を流れて１周旋回するので、リム吐水口２８から吐水された直後の洗浄水が、１周旋回した洗浄水と衝突することを防止することができる。
【００４０】
次に、本実施形態による水洗大便器１において、第１の棚部３０は、リム吐水口２８から凹部２２の前後方向の中心２２ａより前方の領域まで形成されているので、リム吐水口２８から吐水された洗浄水が第１の棚部３０上を流れ、次に、第２の棚部３２上に流出するので、第２の棚部３２上で１周旋回した洗浄水は、第１の棚部３０から第２の棚部３０上に流出した洗浄水の流れが強いので、この強い流れの内周側に沿って流れ、前方から凹部２２に流入する。これにより、凹部２２の前方から流入する洗浄水の主流Ｆ１をより大きく形成し、排水トラップ管路１４内への押し込み力を大きくすることができ、汚物の排出効率をより高めることができる。
【００４１】
次に、本実施形態による水洗大便器１において、第２の棚部３２は、その長さ方向に沿って同じ高さ位置に形成されているので、第２の棚部３２上を流れる洗浄水が後方側に流れ易くなり、それにより、凹部２２の後方から流入する洗浄水の主流Ｆ２をより大きく形成し、より大きな横方向（水平方向）の旋回流を発生させることができ、汚物の排出効率をより高めることができる。
【００４２】
次に、本実施形態による水洗大便器１において、上方汚物受け面１６は、その右側方領域Ｃ、左側方領域Ｄ、及び、前方領域Ａが、平面視で斜め前方から凹部２２内に流入する主流Ｆ１を形成するように構成され、凹部２２は、平面視で先細り形状に形成され凹部に流入する主流Ｆ１を縦旋回させる縦旋回形成部である側壁３４及び前方底面３６ａを備えているので、ジェット吐水口を設けず、リム吐水口２８のみから洗浄水を吐水する場合であっても、凹部２２内に縦旋回流Ｖを形成して凹部２２内の汚物を含む洗浄水を効果的に攪拌することができ、それにより、汚物の排出効率を高めることができる。
【００４３】
次に、本実施形態による水洗大便器１において、排水トラップ管路１４は凹部２２の後方側にその入口１４ａが接続され、縦旋回形成部である側壁３４及び前方底面３６ａは凹部２２の前方側に設けられているので、洗浄水の縦旋回流Ｖにより、凹部２２内の汚物を含む洗浄水を排水トラップ管路１４へ押し込むことができ、それにより、汚物の排出効率を高めることができる。
【００４４】
次に、本実施形態による水洗大便器１において、凹部２２の前方底面３６ａが横方向に沿ってＲ形状に形成されているので、凹部２２に流入した洗浄水をスムーズに旋回させることができ、効果的に縦旋回流Ｖを形成することができ、それにより、汚物の排出効率を高めることができる。
【００４５】
次に、本実施形態による水洗大便器１において、凹部２２の前方底面３６ａが後方底面３６ｂに比べて浅く形成されているので、凹部２２に流入する洗浄水の運動エネルギーを効果的に利用して、縦旋回流Ｖを形成することができ、これにより、汚物の排出効率を高めることができる。
【００４６】
次に、本実施形態による水洗大便器１において、凹部２２は、３５度〜７０度の先細り形状に形成されているので、主流Ｆ１が凹部にほぼ直交する角度で流入するので、縦旋回形成部である側壁３４及び前方底面３６ａにより、効果的に縦旋回流を形成することができる。
【００４７】
次に、本実施形態による水洗大便器１において、凹部２２の前方底面３６ａのＲ形状は曲率半径が３０ｍｍ〜８０ｍｍであるので、凹部２２に流入した洗浄水をよりスムーズに旋回させることができ、効果的に縦旋回流Ｖを形成することができ、それにより、汚物の排出効率を高めることができる。
【符号の説明】
【００４８】
１  水洗大便器
２  便器本体
６  貯水タンク
１２  ボウル部
１４  排水トラップ管路
１６  汚物受け面
１８  リム部
２０  上方汚物受け面
２２  凹部
２６  リム通水路
２８  リム吐水口
３０  第１の棚部
３２  第２の棚部
３４  壁面
３６  底面
３６ａ  前方底面
Ａ  上方汚物受け面の前方領域
Ｂ  上方汚物受け面の後方領域
Ｃ  上方汚物受け面の右側方領域
Ｄ  上方汚物受け面の左側方領域
Ｆ１，Ｆ２  主流
Ｈ  横旋回流
Ｌ  溜水水位
Ｒ  凹部の前方底面の曲率半径
Ｖ  縦旋回流
θ  凹部の先細り形状の角度
【図１】
2018119400.tif 000003
【図２】
2018119400.tif 000004
【図３】
2018119400.tif 000005
【図４】
2018119400.tif 000006
【図５】
2018119400.tif 000007
【図６】
2018119400.tif 000008
【図７】
2018119400.tif 000009
【図８】
2018119400.tif 000010
【図９】
2018119400.tif 000011
【図１０】
2018119400.tif 000012
【図１１】
2018119400.tif 000013
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
洗浄水供給源から供給される洗浄水により便器本体を洗浄して汚物を排出する水洗大便器であって、
汚物受け面を備えたボウル部と、
このボウル部の上縁に形成され内部にリム通水路が形成されたリム部と、
上記洗浄水供給源から供給された洗浄水を吐水し、汚物受け面上を旋回する旋回流を形成する１つのリム吐水部と、
このリム吐水部から吐水された洗浄水がその上を流れる棚部と、
上記ボウル部の下方にその入口が接続され汚物を排出する排水トラップ管路と、を有し、
上記ボウル部の汚物受け面は、上方汚物受け面と、この上方汚物受け面と上記排水トラップ管路との間に形成された凹部と、を備え、
上記上方汚物受け面は、その表面形状が下方に傾斜しており、前方領域と、この前方領域より後方の両側方領域と、これらの両側方領域より後方の後方領域とからなり、上記前方領域が前後方向に沿って凹面により形成され、上記両側方領域が横方向に沿って凸面により形成され、上記後方領域が前後方向に沿って上記両側方領域より小さな曲率の凸面又は凹面により形成され且つ上記両側方領域よりもより大きく下方に傾斜して形成され、
上記リム吐水部、上記上方汚物受け面の上記前方領域、両側方領域及び後方領域の表面形状、並びに、上記棚部により、洗浄水の一部がボウル部の前方から上記凹部に流入する第１の主流を形成すると共に洗浄水の一部が上記凹部の後方から凹部に流入する第２の主流を形成するように構成されていることを特徴とする水洗大便器。
【請求項２】
上記ボウル部の上方汚物受け面の両側方領域のうち、洗浄水の旋回方向の上流側の側方領域が下流側の側方領域よりも大きな凸面により形成されている請求項１に記載の水洗大便器。
【請求項３】
上記リム吐水部は、上記リム部の前方側に設けられている請求項１又は請求項２に記載の水洗大便器。
【請求項４】
上記棚部が上記リム吐水部から上記凹部の前後方向の中心より後方で且つ上記上方汚物受け面の後端より前方の領域まで形成され、さらに、上記棚部の後端から上記上方汚物受け面の後端までの領域は棚部が形成されていない請求項３に記載の水洗大便器。
【手続補正２】
【補正対象書類名】明細書
【補正対象項目名】０００７
【補正方法】変更
【補正の内容】
【０００７】
上記の目的を達成するために、本発明は、洗浄水供給源から供給される洗浄水により便器本体を洗浄して汚物を排出する水洗大便器であって、汚物受け面を備えたボウル部と、このボウル部の上縁に形成され内部にリム通水路が形成されたリム部と、洗浄水供給源から供給された洗浄水を吐水し、汚物受け面上を旋回する旋回流を形成する１つのリム吐水部と、このリム吐水部から吐水された洗浄水がその上を流れる棚部と、ボウル部の下方にその入口が接続され汚物を排出する排水トラップ管路と、を有し、ボウル部の汚物受け面は、上方汚物受け面と、この上方汚物受け面と上記排水トラップ管路との間に形成された凹部と、を備え、上方汚物受け面は、その表面形状が下方に傾斜しており、前方領域と、この前方領域より後方の両側方領域と、これらの両側方領域より後方の後方領域とからなり、前方領域が前後方向に沿って凹面により形成され、両側方領域が横方向に沿って凸面により形成され、後方領域が前後方向に沿って上記両側方領域より小さな曲率の凸面又は凹面により形成され且つ両側方領域よりもより大きく下方に傾斜して形成され、リム吐水部、上方汚物受け面の前方領域、両側方領域及び後方領域の表面形状、並びに、棚部により、洗浄水の一部がボウル部の前方から凹部に流入する第１の主流を形成すると共に洗浄水の一部が凹部の後方から凹部に流入する第２の主流を形成するように構成されていることを特徴としている。
このような構成した水洗大便器においては、ボウル部の汚物受け面の上方汚物受け面は、その表面形状が下方に傾斜しており、前方領域と、この前方領域より後方の両側方領域と、これらの両側方領域より後方の後方領域とからなり、前方領域が前後方向に沿って凹面により形成され、両側方領域が横方向に沿って凸面により形成され、後方領域が前後方向に沿って上記両側方領域より小さな曲率の凸面又は凹面により形成され且つ両側方領域よりもより大きく下方に傾斜して形成されているので、１つのリム吐水部から洗浄水を吐水する場合であっても、ボウル部の凹部の前方から及び後方からそれぞれ凹部に流入する主流を形成することができる。具体的には、凹部の前方から流入する洗浄水の主流が、排水トラップ管路内への押し込み流を発生させ、凹部の後方から流入する洗浄水の主流が、横方向（水平方向）の旋回流を発生させる。その結果、本発明によれば、１つのリム吐水部から吐水された洗浄水によりボウル部の凹部内で汚物を含む洗浄水を効率的に攪拌でき、汚物の排出効率を高めることができる。
【手続補正３】
【補正対象書類名】明細書
【補正対象項目名】０００８
【補正方法】削除
【補正の内容】